(57)【要約】      （修正有）【課題】収納力を極力犠牲にせずに薄型の電子機器の使用状態を使用者の条件に合わせることができる使い勝手のよい書棚を提供する。【解決手段】デスク天板の上方で使用される棚板を有する書棚において、書棚は、第１棚板３６と、第１棚板の奥ゆき寸法より短い奥ゆき寸法の第２棚板３７を備え、第１棚板と第２棚板はともに書棚本体から着脱可能とされ、第２棚板は第１棚板の上方に近接して配置可能とされるとともに、第２棚板の前端部は、第１棚板の前端部よりも後退した状態で配置可能とし、第１棚板の前端部の第２棚板に面する側の面には、凹溝、あるいは、突出部を設け、第１棚板と第２棚板は、上下方向に近接した状態で一体的に構成した書棚とする。【選択図】図８
2020202943.tif 000002
【特許請求の範囲】
【請求項１】
デスク天板の上方で使用される棚板を有する書棚において、書棚は、第１棚板と、第１棚板の奥ゆき寸法より短い奥ゆき寸法の第２棚板を備え、第１棚板と第２棚板はともに書棚本体から着脱可能とされ、第２棚板は第１棚板の上方に近接して配置可能とされるとともに、第２棚板の前端部は、第１棚板に前端部よりも後退した状態で配置可能とし、第１棚板の前端部の第２棚板に面する側の面には、凹溝、あるいは、突出部を設けたことを特徴とする書棚。
【請求項２】
第２棚板の前端部が第１棚板に前端部よりも後退した状態で第２棚板を第１棚板の下方に近接して配置できることを特徴とする請求項１に記載の書棚。
【請求項３】
第１棚板と第２棚板は、上下方向に近接した状態で一体的に構成することを特徴とする請求項１、あるいは、請求項２に記載の書棚。
【発明の詳細な説明】
【技術分野】
【０００１】
本発明は、デスク上方に配置される書棚に係るもので、詳しくは、タブレットやスマートフォンといった薄型の電子機器を使用し易くする書棚に関するものである。
【背景技術】
【０００２】
近年、タブレットやスマートフォンといった薄型の電子機器は、広く普及しており、これらの薄型の電子機器は、仕事に及ばず学習においても活用されており、デスクにおいても薄型の電子機器が使用しやすいように、デスク上棚に薄型の電子機器立て（タブレット立て）機能を持たせるものが提案されている（例えば特許文献１）。
しかしながら、このような上棚に薄型の電子機器立てを設けると、この部分には薄型の電子機器以外の物品を置きにくいため、上棚の収納力が低下するといった問題があった。
【先行技術文献】
【特許文献】
【０００３】
【特許文献１】特開２０１９−００３２９５公報
【発明の概要】
【発明が解決しようとする課題】
【０００４】
本発明は、従来の問題点に鑑みて、収納力を極力犠牲にせずに薄型の電子機器の使用状態を使用者の条件に合わせることができる使い勝手のよい書棚を提供することを課題とする。
【課題を解決するための手段】
【０００５】
本発明は、前記課題を解決するために第１の手段として、デスク天板の上方で使用される棚板を有する書棚において、書棚は、第１棚板と、第１棚板の奥ゆき寸法より短い奥ゆき寸法の第２棚板を備え、第１棚板と第２棚板はともに着脱可能とされ、第２棚板は第１棚板の上方に近接して配置可能とされるとともに、第２棚板の前端部は、第１棚板に前端部よりも後退した状態で配置可能とし、第１棚板の前端部の第２棚板に面する側の面には、凹溝、あるいは、突出部を設ける構成とした。
【０００６】
次に第２の手段として、前記第１の手段として構成したところに加え、第２棚板の前端部が第１棚板に前端部よりも後退した状態で第２棚板を第１棚板の下方に近接して配置できる構成とした。
【０００７】
次に第３の手段として、前記第１の手段として構成したところ、あるいは、第２の手段として構成したところに加え、第１棚板と第２棚板は、上下方向に近接した状態で一体的に構成した。
【発明の効果】
【０００８】
前記第１の手段の発明によると、第２棚板が第１棚板の上方に近接して配置され、第２棚板の前端部が、第１棚板に前端部よりも後退した状態で配置し、第１棚板の前端部の第２棚板に面する側の面、すなわち該形態における上面には、凹溝、あるいは、突出部が設けられるので、スマートフォンやタブレットなどの薄型電子機器の下端を、第１棚板の上面で、かつ、凹溝に挿入するか、あるいは、突出部に後方から前方に向かって当接させ、該下端部より上方の薄型電子機器の背面側を第２棚板の前端に当接させると、薄型電子機器を立てかけることができる。
また、第２棚板の上面は、書棚の収納部をして利用することができる。さらに、第２棚板が第１棚板の上方に近接して配置されているから、第１棚板上面を薄型電子機器の収納場所として使用できる。
【０００９】
前記第２の手段の発明によると、第１棚板が第２棚板の上方に配置されるので、薄型電子機器を立てる機能を使わない場合では、第１棚板を奥ゆきが深い棚板として使用できるから、収納力を増加可能である。さらに、本体型においても、第１棚板が第２棚板の上方に近接して配置されているから、第２棚板上面を薄型電子機器の収納場所として使用できる。
【００１０】
前記第３の手段の発明によると、第１棚板と第２棚板は、上下方向に近接した状態で一体的であるから、前記の第２棚板が第１棚板の上方に近接して配置する状態と、前記の第１棚板が第２棚板の上方に配置する状態を、一体的とされた第１棚板と第２棚板を上下反転するだけで設定可能となるから、作業性が容易である。
また、一体的とされた第１棚板と第２棚板を書棚から取り外して、第１棚板が第２棚板の下方になる体型でデスク上などに載置して、薄型電子機器の立てかけ台として使用可能である。
【図面の簡単な説明】
【００１１】
【図１】机本体の正面図。
【図２】机本体の右側面図。
【図３】書棚の正面図。
【図４】図３のＡ−Ａ線断面図。
【図５】書棚を机本体の背面に設置した状態の右側面図。
【図６】上部書棚を机本体上部に設置した状態の右側面図。
【図７】台付き棚板ユニットの斜視図。
【図８】台付き棚板ユニットに薄型電子機器を立てかけた状態を示す断面図。
【図９】台付き棚板ユニットを上下反転した示す断面図。
【発明を実施するための形態】
【００１２】
収納力を極力犠牲にせずに薄型の電子機器の使用状態を使用者の条件に合わせることができる使い勝手のよい書棚を実施例に基づいて以下に説明する。
【００１３】
第１実施例を、添付図面に基づいて詳述する。
図１、図２において、符号１は机本体を示し、机本体１は天板本体部１０と、天板本体部１０の左右端部側に連結ネジにて連結された左右脚体２、２より構成されている。
符号２０は左右脚体２、２を連結する脚体補強材を示し、図３、図４において、符号３は、机１と連結可能な書棚を示している。
天板本体部１０は、図１に示すように、主に左右方向に長い長方形板状の天板１１と、天板１１下面部に配置される左右の引き出しを有する引き出しユニット１２で構成されている。
【００１４】
左右脚体２、２は対向した対称形に形成されているので、一方側のみ説明する。
右側脚体２は、前後に離間して配置する棒状の前支持脚２１、後支持脚２２と、前支持脚２１、後支持脚２２の上部で、前支持脚２１と後支持脚２２を連結する上部補強材２２１、前支持脚２１と後支持脚２２の下部で、前支持脚２１と後支持脚２２を連結する下部補強材２２２で構成されている。そして、左右脚体２、２は、前記左右天板側板１２、１２の側面にネジ止め固定される。
【００１５】
書棚３は、図３、図４に示すように、主に下部書棚３０と下部書棚３０の上部に連結する上部書棚３１で構成され、上部書棚３１は下部書棚３０から分離して、机本体１の天板１１の上面に載置し、机本体１と連結されて使用することも可能なものである。
【００１６】
下部書棚３０は、図３、図４に示すように、大収納部３０ａと小収納部３０ｂで構成され下部書棚３０の上面が、机本体１の天板１１の上面と同じ高さとなるように設定され、小収納部３０１は、垂直軸を中心に回転できるように形成されている。
大収納部３０ａは、平面視において、天板１１と略同じ横幅で、奥行きは、机の天板１１の奥行き寸法の約半分程度に設定された横長長方形のベース体３０１と、ベース体３０１の小収納部３０ｂ側と対向側の側端部の上面に立設する下側板３０２と、該側端部の対向端部より小収納部３００が収まる寸法分内側寄りの上面に立設する中側板３０３と、下側板３０２、中側板３０３の上端面に載置、着脱自在に連結される平面視においてベース体３０１と略同形に形成される板状の書棚天板３００と、下側板３０２、３０３間に着脱自在に架設される上下背板３０５、３０５、中間背板３０６と、同じく下側板３０２、３０３間に着脱自在に架設される大棚板３０８で構成されている。
そして、大収納部３００は平面視で横長長方形になるように形成され、長辺の一面側、すなわち、背板の対向面側が開放された開口部とされ、収納部の物品の出し入れ口とされる。
【００１７】
このように構成される大収納部３００には、図３に示すように、中側板３０３から、側方に向かってベース体３０１と書棚天板３００が突き出しており、該突き出し部に小収納部３０ｂが垂直軸を中心に回転可能に配置されている。
小収納部３０ｂは、平面視で略正方形に形成される収納棚であって、大収納部３０ａに垂直軸を中心に回転可能に配置され、小収納部３０ｂの収納部の物品の出し入れ部の面の向きを前後左右で変更することできるように施されている。
【００１８】
このように構成された下部書棚３０の上面に上部書棚３１が連結配置されている。
上部書棚３１は、主に、左右一対の側板３３、３３と、側板３３、３３の後端部で側板３３、３１１を連結する背板３４で構成された平面視コ字状の上部書棚本体３１０と、側板３３、３１１の中間部で背面板３１２に連結される中間仕切り板３５と、側板３３と中間仕切り板３１１間に架設される第１棚板３６と、同じく、側板３３と中間仕切り板３１１間に架設される第２棚板３７と、第１棚板３６、あるいは、第２棚板３７に、棚板の後方から合成樹脂製のブラケット３１２を介して挟持保持され左右スライド移動可能で着脱可能に設置される可動仕切り板３１１と、他方側の側板３３と中間仕切り板３１１間に架設される引き出し付棚板３８で構成される。  
【００１９】
側板３３、３１１の側面のそれぞれの対向面側に棚受けピンを取り付ける棚受け孔３３１が前後に離間して、かつ、上下方向に離間して複数設けられており、また、中間仕切り板３５にも、棚受け孔３３１に対応して、棚受け孔３５１が複数設けられており、棚受け孔３３１、３５１に棚受けピンを取り付けて、棚受けピン上に第１棚板３６、あるいは、第２棚板３７、あるいは、引き出し付棚板３８を載置して、棚板３１４、引き出し付棚板３８を棚板として使用できるようにする。
棚受け孔３３１、３５１は、上下方向に離間して複数設けられているから、棚受けピンを上下方向に移設することによって、第１棚板３６、第２棚板３７、引き出し付棚板３８の設置位置を上下方向に移動することが可能となる。
【００２０】
尚、上部書棚本体３１０の左右幅は、下部書棚３１と同じ幅に設定され、上部書棚本体３１０の前後長さも、下部書棚３１と同じ長さに設定される。
また、実施例においては、上部書棚３１の左右いずれか一方の側板３３と中間仕切り板３５と、他方側の側板３３と中間仕切り板３５間は同じ寸法に設定されているから、第１棚板３６、第２棚板３７、引き出し付棚板３８は左右方向で入れ替え可能である。
【００２１】
このように構成された上部書棚３１は、下部書棚３０の上面に載置され、連結金具によって下部書棚３０に連結され、書棚３が構成される。
そして、書棚３は、机本体１の左右幅方向と同じ幅に形成されているとともに、下部書棚３０の書棚天板３００の上面と机本体１の天板１１の上面が同じ高さに設定されているので、書棚３を机本体１の背面部に配置すると、天板１１の奥ゆき方向で、書棚天板３００が天板１１と連続した天板面として使用できる。
上部書棚３１を下部書棚３０から分離して、机本体１の上面に載置する場合でも、上部書棚３１の幅は机本体１の幅と略同じであるから、机本体１からはみ出すことがない。
【００２２】
そして、実施例１においては、第１棚板３６、第２棚板３７は一体的に構成されており、下方部に位置する第１棚板３６と、第１棚板の左右両端上面に設置される支持片３７１、３７１と支持片３７１、３７１の上面に載置連結され、支持片３７１、３７１の両端の下面が支持される第２棚板で、台付き棚板ユニット４が形成される。
【００２３】
第１棚板３６は、板状で、側板３３と中間仕切り板３５間に架設可能な横幅寸法で、上部書棚本体３１０の背板３４の前面から前方にブラケット３１２が入る寸法分隙間を開けた位置から、前方に向かって側板３３の前端面より前方にはみ出さない寸法に奥ゆきが設定されている。
そして、第１棚板３６の上面の前端部近傍に上方に突出する掛り部３６１が設けられている。
【００２４】
第２棚板３７は、板状で、第１棚板３６と同じく側板３３と中間仕切り板３５間に架設可能な横幅寸法に設定され、奥ゆき寸法は、上部書棚本体３１０の背板３４の前面から前方にブラケット３１２が入る寸法分隙間を開けた位置から、前方に向かって前記掛り部３６１の後述する薄型電子機器５の下端部を支持する支持位置より後退した位置までに設定されている。
【００２５】
支持片３７１は、第１棚板３６に立設する板状で、第２棚板３７の奥ゆき寸法より多少短い奥ゆき寸法に設定され、高さ寸法は、薄型電子機器の厚みより厚く設定されているが、書籍などを立てて置くことができない高さで設定されおり、実施例においては６０ミリメートルに設定されている。また、支持片３７１には左右方向に貫通する取り付け孔３７１ａ、３７１ａが設けられている。
【００２６】
そして、第１棚板３６の後端側の両端の上面に、支持片３７１、３７１が立設固定され、第１棚板３６の後端と第２棚板３７の後端を前後方向で揃えた位置で、第２棚板３７の両端下面を支持片３７１、３７１の上面に載置連結し、台付き棚板ユニット４が完成する。
この状態で、支持片３７１の台付き棚板ユニット４の左右の外側面となる面の後端上部には切り欠き溝３７１ｂが、後端下部には切り欠き溝３７１ｃ設けられ、図７に示すように、切り欠き溝３７１ｂは、第２棚板の両端の下面に設けられた棚受けピンの支持孔３７ａと連設して、支持片３７１の後端から連続したＬ字状の鉤溝３７ｂを形成する。
切り欠き溝３７１ｃは、第１棚板の両端の上面に設けられた棚受けピンの支持孔３６ａと連設して、支持片３７１の後端から連続したＬ字状の鉤溝３７ｃを形成する。
【００２７】
このように構成された台付き棚板ユニット４は、次のように上部書棚本体３１０に取り付けられる。
まず、台付き棚板ユニット４の第２棚板３７の後端から、可動仕切り板３１１を、ブラケット３１２に形成された挟持部が第２棚板３７を挟持するように差し込む。
次に、側板３３と中間仕切り板３５の棚受け孔３３１、３５１の同じ高さ位置に取り付けられた棚受けピン３９、３９に対して、棚受けピン３９が台付き棚板ユニット４の鉤溝３７ｂの背面の開口部から挿入するように台付き棚板ユニット４を前方から後方に水平に押し入れる。
そして、棚受けピン３９が鉤溝３７ｂの前面に接触した位置で、台付き棚板ユニット４を下方に移動すると、支持孔３７ａ部が棚受けピン３９に載置する。この状態で、台付き棚板ユニット４の後部は上部書棚本体３１０に支持される。
台付き棚板ユニット４の前部は、支持孔３７ａより前方の位置に設定された支持片３７１の取り付け孔３７１ａ、３７１ａから取り付けネジを挿入し、側板３３、中間仕切り板３５に設けられた螺孔に取り付けネジを螺合することによって上部書棚本体３１０に支持される。
このようにして、台付き棚板ユニット４は上部書棚本体３１０に取り付けられる。
【００２８】
この状態で、台付き棚板ユニット４は、上部書棚本体３１０中間高さに設置されるので、第１下面の下方部には空間があり、書棚３を机本体１の背面に配置した場合や、上部書棚３１を天板１１上に配置した場合でも、天板面の奥ゆきが損なわれることがない。
また、第１棚板３６と第２棚板３７の後端面と背板３４の間にはブラケット３１２が挿入できるだけの隙間が設けされているから、可動仕切り板３１１は第２棚板上を左右方向にスライド移動可能である。
【００２９】
そして、薄型電子機器５の下端を、第１棚板３６の掛り部３６１の後面側に置き、薄型電子機器５を背面側に傾け、薄型電子機器５の背面を第２棚板の前端に当接させると、薄型電子機器５の下端が、掛り部３６１によって前方へのズレを阻止し、第２棚板の前端部が薄型電子機器５の平面側への倒れを阻止するから、薄型電子機器５をやや上方が後ろ側に傾いた状態で立てかけることができるので、台付き棚板ユニット４は薄型電子機器台としての機能を有する。
掛り部３６１は、薄型電子機器５の下端の前方へのズレを阻止するものであるから、突出ピン状であっても、凹状やＶ状やＵ状の凹溝であってもよく、薄型電子機器５の下端に当接し、薄型電子機器５の下端の前方へのズレを阻止できるものであればよい。
【００３０】
さらに、第２棚板が第１棚板の上方に近接して配置されているから、第１棚板上面を薄型電子機器の収納場所として使用するのに適している。
さらに、第２棚板の上面は、物品を載置できるので、上部書棚３１の収納部をして利用することができる。
【００３１】
次に、台付き棚板ユニット４を固定している取り付けネジを取り外し、台付き棚板ユニット４を前方に引き抜き、台付き棚板ユニット４を正面視で１８０度回転させ、第１棚板３６が上部、第２棚板３７が下部になるようにし、可動仕切り板３１１を第２棚板３７から取り外す。
そして、この状態で、第１棚板３６の後端から、可動仕切り板３１１を、ブラケット３１２に形成された挟持部が第１棚板３６を挟持するように差し込む。
【００３２】
側板３３と中間仕切り板３５の棚受け孔３３１、３５１の同じ高さ位置に取り付けられた棚受けピン３９、３９に対して、棚受けピン３９が台付き棚板ユニット４の鉤溝３７ｃの背面の開口部から挿入するように台付き棚板ユニット４を前方から後方に水平に押し入れる。
そして、棚受けピン３９が鉤溝３７ｃの前面に接触した位置で、台付き棚板ユニット４を下方に移動すると、支持孔３６ａ部が棚受けピン３９に載置する。この状態で、台付き棚板ユニット４の後部は上部書棚本体３１０に支持される。
台付き棚板ユニット４の前部は、支持孔３６ａより前方の位置に設定された支持片３７１の取り付け孔３７１ａ、３７１ａから取り付けネジを挿入し、側板３３、中間仕切り板３５に設けられた螺孔に取り付けネジを螺合することによって上部書棚本体３１０に支持される。
このようにして、台付き棚板ユニット４は上部書棚本体３１０に取り付けられる。
【００３３】
このように台付き棚板ユニット４が取り付けられた上部書棚３１の体型は、薄型電子機器を立てる機能が不要な場合に取られるものであるが、該体型の第１棚板３６の上面は上部書棚３１と略同じ奥ゆきのある棚として使用できる。
また、第１棚板３６が第２棚板３７の上方に近接して配置されているから、第２棚板３７上面を薄型電子機器の収納場所として使用するのに適していることは変わらない。
【００３４】
第１実施においては、第１棚板３６、第２棚板３７は一体的に構成されて台付き棚板ユニット４を形成しているが、第１棚板３６、第２棚板３７は別体に構成してもよい。
この場合、第１棚板３６、第２棚板３７は、それぞれ、側板３３と中間仕切り板３５の棚受け孔３３１、３５１の同じ高さ位置に取り付けられた棚受けピン３９、３９に架設されるので、棚受け孔３３１、３５１は、第１棚板３６、第２棚板３７が高さ方向で近接するような間隔で設けるほうがよく、実施例１に合わせて６０ミリメートルに設定することや、更に細分化し、例えば１０ミリメートルピッチで上下方向に複数個設けることにより、薄型電子機器に合わせて、第２棚板３７の高さを細かく変更させてもよい。
第１棚板３６の前方部に掛り部を設け、第２棚板３７の前端を掛り部より後退した位置に設定すれば、第１棚板３６と第２棚板３７の高さ方向の間隔が変化しても薄型電子機器立てとして機能を維持することができる。
【００３５】
このように、第１棚板３６、第２棚板３７は別体に構成してもよいが、第１棚板３６、第２棚板３７は一体的に構成し台付き棚板ユニット４を形成すれば、上部書棚本体３１０から取り外し、台付き棚板ユニット４を机上に置いたとしても、薄型電子機器立てとして機能はそのまま使用でき、薄型電子機器の収納機能についてもそのまま使用できるので、一体的な方がより使い勝手がよい。
【産業上の利用可能性】
【００３６】
以上のように、本発明は、薄型電子機器立てを有する書棚であるから、机と書棚を組み合わせた組み合わせデスクや、天板と収納部が組み合わされたテーブルや作業台や陳列台といったように広く利用することができる。
【符号の説明】
【００３７】
１        机本体
３        書棚
３０      下部書棚
３０ａ    大収納部
３０ｂ    小収納部
３００    書棚天板
３０１    ベース体
３０２    下側板
３０３    中側板
３０５    上下背板
３０６    中間背板
３０８    大棚板
３１      上部書棚
３１０    上部書棚本体
３３      側板
３３１    棚受け孔
３４      背板
３５      中間仕切り板
３５１    棚受け孔
３６      第１棚板
３６１    掛り部
３７      第２棚板
３７ａ    支持孔
３７ｂ    鉤溝
３７１    支持片
３７１ａ  取り付け孔
３７１ｂ  切り欠き溝
３８      引き出し付棚板
３１１    可動仕切り板
３１２    ブラケット
３９      棚受けピン
４        台付き棚板ユニット
５        薄型電子機器部
【図１】
2020202943.tif 000003
【図２】
2020202943.tif 000004
【図３】
2020202943.tif 000005
【図４】
2020202943.tif 000006
【図５】
2020202943.tif 000007
【図６】
2020202943.tif 000008
【図７】
2020202943.tif 000009
【図８】
2020202943.tif 000010
【図９】
2020202943.tif 000011